Podtech/llm-jp-corpus-v4-ja_patent huggingface dataset:
(57)【要約】【課題】      密封して保存すべき容器の内容物に、容器を囲繞する周囲の環境の変化によって、不当な影響が加わることを未然に防止すること。【解決手段】  中空で上部が開放する胴体（１２）と、前記胴体（１２）の上部開口（１４）を閉塞する蓋部材（１６）とから成る容器（１０）において、前記蓋部材（１６）の裏面（１８）に吸水および／または脱臭の作用に富む板体部材（２０）を固定して成る容器の構造。【選択図】図１
0003116628.tif 000002
【実用新案登録請求の範囲】
【請求項１】
中空で上部が開放する胴体（１２）と、前記胴体（１２）の上部開口（１４）を閉塞する蓋部材（１６）とから成る容器（１０）において、前記蓋部材（１６）の頂部の裏面（１８）に吸水および／または脱臭の作用に富む板体部材（２０）を固定したことを特徴とする容器の構造。
【請求項２】
前記吸水および／または脱臭の作用に富む板体部材（２０）をケイ藻土を焼成して成型した板体部材（２０）とすることを特徴とする請求項１に記載の容器の構造。
【考案の詳細な説明】
【技術分野】
【０００１】  この考案は容器の構造、より詳細に述べると、内容物を密封して、長期間これを貯蔵するための容器の構造に関する。
【背景技術】
【０００２】  容器の内部に内容物を密封して長期に亘って貯蔵する場合には、この容器を囲繞する周囲の環境の変化によって、例えばその容器の内部に結露を生じ、それによって水分が容器に貯蔵されている内容物に影響を及ぼして、これを損傷させたり、あるいは変色させ、または腐食させ、あるいは破損させ、さらに内容物から異臭を発生させるなどして、内容物を長期間に亘って完全に保存する上で支障を招くことが少なくない。
【考案の開示】
【考案が解決しようとする課題】
【０００３】  この考案が解決をしようとする問題は、密封して保存すべき容器の内容物に、容器を囲繞する周囲の環境の変化によって、不当な影響が加わることを未然に防止することを、最も主要な特徴とする。
【考案の効果】
【０００４】  この考案の容器の構造は、その形状の如何を問うことなく、長期に亘って収納する物体を収納する容器の本体、すなわち胴体と、この胴体の上部に配置して胴体を密封するための蓋部材とから成り、前記蓋部材の内面に、吸水および／または脱臭の作用に富む部材を固定し、それによって密封された容器内に収納されている内容物に、外部環境の影響を及ぼすことがないようにすることに利点がある。
【考案を実施するための最良の形態】
【０００５】  この考案において、前記蓋部材の内面に固定する部材は、多孔質の珪殻の集積物であって、アルカリ以外の化学薬品に対して極めて安定しているケイ藻土を粉砕し、乾燥して砂石分等を分離除去して精製し、さらにこれを乾燥した後、焼成して成形し、粘土と混合して適当な寸法の板体にし、この板体を容器の蓋の裏面に適当な手段、例えば接着剤を使用するか、あるいは１個乃至複数個の穴を開けて、これらの穴にピン等を挿入して、前記板体を容器の蓋の内面に固定したことを特徴とする容器の構造に関する。
【実施例】
【０００６】  図１は、この考案の好ましい実施例を示すために、一部を断面として示す立面図であって、容器１０は中空で上部が開放する胴体１２と、胴体１２の上部開口１４を閉塞する蓋部材１６とから成っている。【０００７】  この考案によれば、蓋部材１６の頂部の裏面１８に、前述したケイ藻土を焼成して成型した板体２０を、接着固定する手段２２によって固定する。なお、固定手段としては、例えば、接着剤が便宜であり、またピン等を用いて機械的に固定することもできる。
【産業上の利用可能性】
【０００８】  この考案の容器１０の構造は、以上に詳述した通りであるのから、この容器１０の中に湿気の影響を受け易い物品や、臭気を避けなければならない物品、あるいは容器１０を地中に保存するような場合に、容器１０の内部に、周囲の環境の変化が作用して、例えば結露を招くなどの異常を生ずることがあっても、蓋部材１６の頂部裏面１８に固定したケイ藻土を焼成して成型した板体２０が、臭気あるいは湿気を吸収して、容器１０の内部を常に安定した平常の状態に維持し、内容物に損傷等の影響を招くことがなく、各種の内容物を長期に亘って安定して保存することができる。
【図面の簡単な説明】
【０００９】
【図１】この考案の容器の構造を示すために、一部を断面として示す立面図である。
【符合の説明】
【００１０】  １０  容器
１２  胴体
１４  上部開口
１６  蓋部材
１８  蓋の頂部の裏面
２０  ケイ藻土を焼成して成型した板体
２２  接着固定手段
【図１】
0003116628.tif 000003
(57)【要約】【課題】  自転車、バイク等の使用時に突然の降雨、寒風に備え、携帯用のコンパクトな収納袋の袋中に、即座に対応可能な、エプロン形の雨具を常備する。【解決手段】  防水布を用い、携帯用の収納袋と一体で形成されたエプロン３から成り、収納袋の上部にゴム１を繋着し、降雨や寒風時には、該ゴム１を首に掛け、収納袋の底部用平面テープ４を開き収納袋の袋中からエプロン３を引き出し前身に展開し、エプロン３上部両端に縫着した、身体固定用平面テープ５を身体背面で相着し、エプロン３を身体に密着させる、又、入浴介助時等、幅広く使用可能な、収納袋付きエプロン形雨具である。【選択図】  図２
0003116626.tif 000002
【実用新案登録請求の範囲】
【請求項１】
防水布を山形に折り、稜１ａを境に、一方を収納袋の前面２とし、他方を収納袋の裏面と、展開、収納可能なエプロン３とし、一体の防水布で形成する、該適宜な収納袋の前面２と裏面の間に襠２ａを入れ、夫々両側を縫着して収納袋を構成し、更に収納袋の前面２の下縁とエプロン３の背面同位置に、収納袋の底部を成す平面テープ４を夫々繋着する、エプロン３の上部両端にエプロン３を身体に密着させる平面テープ５を縫着し、更に首に掛けるゴム１を山形の稜１ａの両端に繋着した収納袋付きエプロン形の雨具である。
【考案の詳細な説明】
【技術分野】
【０００１】  本考案は、収納袋とエプロン形雨具が一体に形成され、主に自転車、バイク等の使用中に突然の降雨、或いは寒風時に、首から提げた収納袋の底部を開き袋中からエプロン形の雨具を引き出し身体に展開するものである。
【背景技術】
【０００２】  従来、自転車、バイク等使用中の突然の降雨の時一度降車し、レインコートの着用、あるいは、雨傘を展開していたが、不携帯であったり、着用に手間取り、或いは片手運転になり危険であった。
【考案の開示】
【考案が解決しようとする課題】
【０００３】常時携帯可能のコンパクトな収納袋と、エプロン３が一体となっており、自転車、バイク等使用時の突然の降雨、寒風時にも、収納袋を、ゴム１で首から提げ、袋中に折畳み収納されたエプロン３を引き出し展開することにより、乗車したままで即座に対応することを可能にした。
【課題を解決するための手段】
【０００４】  以上の事由により防水布を山形に折り、稜１ａを境に、一方を収納袋の前面２とし、他方を収納袋の裏面と、展開、収納可能なエプロン３と成し一体の防水布で形成する、該適宜な収納袋の前面２と裏面の間に襠２ａを入れ、夫々両側を縫着して収納袋を構成し、更に収納袋の前面２の下縁とエプロン３の背面同位置に、収納袋の底部を成す平面テープ４を夫々繋着する、エプロン３の上部両端に身体に密着用の平面テープ５を縫着し、更に首に掛けるゴム１を山形の稜１ａの両端に繋着した、収納袋付きエプロン形の雨具である。
【考案を実施するための最良の形態】
【０００５】  常時携帯可能なコンパクトな収納袋と、エプロン３が一体に成っており、自転車或いは、バイク使用時の突然の降雨、また寒風時にも帽子、ヘルメットを着用したままで、降車する必要もなく、収納袋上方に繋着されたゴム１を首に掛け、収納袋の底部を成す平面テープ４を開き、袋中に折畳み収納されたエプロン３を引き出し展開し、エプロン３の上部両端に縫着した身体に密着用平面テープ５を身体腰部の背面で相着しエプロン３を身体に密着させる。
【実施例】
【０００６】  防水エプロンであるから入浴介助時、寒風時等に幅広く使用可能である。
【図面の簡単な説明】
【０００７】
【図１】  エプロン、袋中時の収納袋斜視図である
【図２】  収納袋と、エプロンの平面図である
【図３】  収納袋と、エプロンの側面図である
【符号の説明】
【０００８】    １  首に掛けるゴム    １ａ  稜    ２  収納袋の前面    ２ａ  襠    ３  エプロン    ４  収納袋の底部用平面テープ    ５  身体に密着用平面テープ
【図１】
0003116626.tif 000003
【図２】
0003116626.tif 000004
【図３】
0003116626.tif 000005
(57)【要約】      （修正有）【課題】蓋が開いて中身が飛び出すことがない。【解決手段】バック本体にギボシをつけ、蓋の内側にギボシを受け止める受け皿をつけることで、蓋を固定することができる。受け皿をつけたことにより、蓋の表面にギボシが突起することが無く安全でかつバック表面のデザインに支障をきたさず固定することができた。【選択図】図１
0003116623.tif 000002
【実用新案登録請求の範囲】
【請求項１】
バックの蓋をギボシで固定することを特徴とするメディスンバック。
【請求項２】
前記のギボシでの固定は、蓋の内側にギボシを受け止める受け皿が着いていることを特徴とする請求項１記載のメディスンバック。
【考案の詳細な説明】
【技術分野】
【０００１】  この考案は小物を入れるために用いるメディスンバックの形状に関する。
【背景技術】
【０００２】  従来のメディスンバックの形状は、図２が示すように、蓋が固定されていないものである。
【考案の開示】
【考案が解決しようとする課題】
【０００３】  しかしながら以上の技術によれば、蓋が開きやすく、特に激しく動いた時にはバックの中身が飛び出ることもあり不便だった。
そこでこの考案は蓋をギボシで固定することを課題とする。
【課題を解決するための手段】
【０００４】  以上の課題を解決するために第一考案は、バックの蓋をギボシで固定することを特徴とするメディスンバックとする。
また第二考案は、蓋の内側にギボシを受け止める受け皿を設けたことを特徴とするメディスンバックである。
【考案の効果】
【０００５】  第一考案によれば、メディスンバックの蓋を固定することで、激しく動いても中身が飛び出る心配がない。
第二考案によれば、ギボシの受け皿をつけることで、バック表面にギボシが突起することが無く安全で、カバンのデザインに支障をきたさずに固定することができる。
【考案を実施するための最良の形態】
【０００６】  この考案の一実施形態を図１に示す。
メディスンバック本体は、厚さ３ミリ以上の牛革製であり、本体２の部分にギボシをつけ、４の蓋内側に同牛革製の受け皿がつけられている。
【実施例】
【実施形態の効果】
【０００７】  この実施形態によればギボシと受け皿の働きで、蓋を固定することができる。
したがって、中身が飛び出ることがない。
蓋に受け皿がついていることにより、バック表面にギボシが突起することが無く安全。
バック表面も傷つけず、デザインに支障をきたすことがない。
ギボシでの固定は開け閉めが容易にできる。
【図面の簡単な説明】
【０００８】
【図１】  この考案の一実施形態を示す斜視図・断面図である。
【図２】  従来技術を示す斜視図である。
【符号の説明】
【０００９】  １  メディスンバック本体
２  蓋がかぶる部分
３  ギボシ
４  蓋の内側
５  受け皿
【図１】
0003116623.tif 000003
【図２】
0003116623.tif 000004
(57)【要約】      （修正有）【解決手段】錐形（円錐形、三角錐形、四角錐形、星形錐形等）の硬質プラスチック１の側面に空気孔２を開け植物の周辺に埋め込んで水捌けを良くし土に空気を取り込み根腐れ防止することにより植物が元気になる。又、設置場所を変える時抜き安い様に、上部に段を設けて指がかり３を付ける。【効果】錐形（円錐形、三角錐形、四角錐形、星形錐形等）コ−ンは容易に土に埋め込むことが出来、根腐れ等を防ぐことはもちろんのこと、埋め込む場所が自由に変えられるので植栽部も広く使える。色々のカラ−を使用すればビジュアル的にもカラフルで華やいだものになる。【選択図】図１
0003116629.tif 000002
【実用新案登録請求の範囲】
【請求項１】
錐形（円錐形、三角錐形、四角錐形、星形錐形等）の硬質プラスチックの側面に空気孔を多数開けるとともに、上部に段を設けて指がかりをつけた、土に空気を取り込む構造とした園芸用品である。
【考案の詳細な説明】
【技術分野】
【０００１】  本考案は、錐形（円錐形、三角錐形、四角錐形、星形錐形等）の硬質プラスチックの側面に空気孔を多数開け、土に埋め込むことにより水捌けを良くし、土に空気を取り込む構造とした。又、設置場所を変える時抜き安い様に上部に段を設けて指がかりを付けた園芸用品に関するものである
【背景技術】
【０００２】  従来の考案は大がかりなものであったり、又は底部に開いている空気孔から空気を取り入れる形状のものはあったが植木鉢の中心に埋め込んである為、植栽部が妨げられる等の問題や、一度設置すると移動できにくい等の不具合があった。
【考案の開示】
【考案が解決しょうとする課題】
【０００３】  植木鉢やプランタ−、又は花壇に植えた草木や花が、水のやり過ぎや水捌けの悪い土により根腐れ等を起こしやすかった。
【課題を解決するための手段】
【０００４】  錐形（円錐形、三角錐形、四角錐形、星形錐形等）の硬質プラスチックの側面に空気孔を多数開け、土に埋め込むことにより水捌けを良くし、土に空気を取り込む構造として植物が元気になるようにしたものである。又、設置場所を変える時抜き安い様に上部に段を設けて指がかりを付けた。
【考案の効果】
【０００５】  上述の様に本考案の錐形（円錐形、三角錐形、四角錐形、星形錐形等）コ−ンは容易に土に埋め込むことが出来、根腐れ等を防ぐことはもちろんのこと、埋め込む場所が自由に変えられるので植栽部も広く使える。色々のカラ−を使用すればビジュアル的にもカラフルで華やいだものになる。
【考案の実施するための最良の形態】
【０００６】  錐形（円錐形、三角錐形、四角錐形、星形錐形等）の硬質プラスチック１の側面に空気孔２を多数開け、植木鉢やプランタ−、又は花壇に植えた植物の周辺に埋め込むようにしたものである。又、設置場所を変える時抜き安い様に、上部に段を設けて指がかり３をつける。
【図面の簡単な説明】
【０００７】
【図１】  本考案の埋め込み式有孔円錐形コ−ンの一実施例を示す斜視図である。
【図２】  錐形（円錐形、三角錐形、四角錐形、星形錐形）コ−ンの斜視図である。
【符号の説明】
【０００８】      １  錐形（円錐形、三角錐形、四角錐形、星形錐形）硬質プラスチック
２  空気孔
３  指がかり
【図１】
0003116629.tif 000003
【図２】
0003116629.tif 000004
(57)【要約】      （修正有）【課題】パソコンを使用するとき、キイボードやマウスの操作が楽にできる、リストバンドを提供する。【解決手段】水分吸収性及び伸縮性のある布材３からなるリング状帯体１と、このリング状帯体の一部に厚みを持たせ、さらにその厚み部分の外側表面に滑りのよい部材３を設けることで解決する。【選択図】図４
0003116624.tif 000002
【実用新案登録請求の範囲】
【請求項１】
水分吸収性及び伸縮性のある布材からなるリング状帯体と、このリング状帯体の一部分を肉厚にしてクッション部を設けた構造のパソコン用リストバンド。
【請求項２】
前記リング状帯体のクッション部の外側表面に摩擦抵抗の少ない滑らかな布材または合成皮革等を取り付けた構造を特徴とする、請求項１記載のパソコン用リストバンド。
【考案の詳細な説明】
【技術分野】
【０００１】本考案は、パソコンを使用するときに手首に装着する、リストバンドに関する。
【背景技術】
【０００２】従来リストバンドは、手首につける汗止めバンドとしてスポーツ用に普及されているもので、パソコンを使用する時は一般的には使われない。
【考案の開示】
【考案が解決しようとする課題】
【０００３】従来パソコンを使用するとき、テーブル面とキイボードやマウスとの間に段差があり、長時間キイボードやマウスを操作すると手首が疲れる、また、手首の内側の皮膚がテーブル面やテーブルの角に接触し摩擦により痛くなったりする、しかも手首に汗を書くことで接触面の滑りがさらに悪くなり操作に支障をきたすことがある。
【課題が解決するための手段】
【０００４】この問題を解決するために、水分吸収性及び伸縮性のある布材からなるリング状帯体に、このリング状帯体の一部分に同じ材質で肉厚にしてクッション部を設ける、さらにそのクッション部の外側表面に摩擦抵抗の少ない滑らかな布材または合成皮革等を取り付けた構造のリストバンドにする。
【考案の効果】
【０００５】本考案により、両手首にこのリストバンド
【図５】
のクッション部２が手首の内側になるように装着して、キイボードやマウスを操作すると、手首内側がクッション部２の厚みによりテーブル面とキイボードやマウスとの間の段差が緩和され操作し易く、さらに摩擦抵抗の少ない滑らかな布材または合成皮革等で滑り部３を設けることでテーブル面やテーブルの角に接触しても滑りがよく操作が楽にでき手首内側が痛くなったりしない、また、手指に汗をかいても水分吸収性のあるリング状帯体１で汗を拭き取ることができ、長時間パソコンを使用しても疲れずに楽にできる。
【考案を実施するための最良の形態】
【０００６】本考案に係るリストバンドは、
【図１】
【図２】
に示すように、水分吸収性及び伸縮性のある布材からなるリング状帯体１に、手首に装着したときに手首内側にあたる部分にリング状帯体１と同じ材質で肉厚にしてクッション部２を設けた構造にする。
【０００７】さらに
【図３】
【図４】
に示すように、そのクッション部２の外側表面に摩擦抵抗の少ない滑らかな布材または合成皮革等で滑り部３を設けた構造にする。
【図面の簡単な説明】
【０００８】
【図１】    本考案の実施例の側面図である。
【図２】    〔図１〕のＡ−Ａ’断面図である。
【図３】    本考案の実施例の側面図である。
【図４】    〔図３〕のＢ−Ｂ’断面図である。
【図５】    本考案の実施例の斜視図である。
【符号の説明】
【０００９】      １      リング状帯体
２      クッション部
３      滑り部
【図１】
0003116624.tif 000003
【図２】
0003116624.tif 000004
【図３】
0003116624.tif 000005
【図４】
0003116624.tif 000006
【図５】
0003116624.tif 000007
(57)【要約】【課題】ファッション的な要素を損なうことなく、ゴーグルと帽子つば部間の隙間からの冷気、風、雪などの額への進入を無くし、滑走中の風によるその隙間の拡大を解消し、快適性を高める。【解決手段】ゴーグル使用時にそのゴーグル４と帽子つば２の間に出来る隙間を埋め、ゴーグル４により押さえつけられ風を受けても帽子１がずりあがることを抑えその隙間が広がっていかないようにひれ３をつば下部に有しそのひれ３はゴーグル未使用時にファッション性を損ねる事がないよう帽子内部への折りたたみ収納が可能であることが特徴の帽子。【選択図】図１
0003116625.tif 000002
【実用新案登録請求の範囲】
【請求項１】
ゴーグル使用時にそのゴーグル４と帽子つば２の間に出来る隙間を埋め、ゴーグル４により押さえつけられ風を受けても帽子１がずりあがることを抑えその隙間が広がっていかないようにひれ３をつば下部に有することが特徴の帽子。
【請求項２】
そのひれ３はゴーグル未使用時にファッション性を損ねる事がないよう帽子内部への折りたたみ収納が可能であることが特徴の帽子。
【考案の詳細な説明】
【技術分野】
【０００１】本考案は、スキーやスノーボード用ゴーグルを装着時にゴーグル上部と帽子つば部の隙間を埋めることのできるつば付帽子に関する。
【背景技術】
【０００２】ファッション的な目的でつばを有するスキーやスノーボード用の帽子は多いがゴーグルを使用するとゴーグル上部とつばの間に隙間が出来てしまい、そこから冷気や風、雪などが額に進入してしまう。【０００３】また、帽子つば部は風を受けやすいため滑走中の風により帽子がずれ上がり上記のゴーグル、つば部の隙間は拡大していってしまう。
【考案の開示】
【考案が解決しようとする課題】
【０００４】ファッション的な要素を損なうことなく、ゴーグルと帽子つば部間の隙間からの冷気、風、雪などの額への進入を無くし、快適性を高める。【０００５】ファッション的な要素を損なうことなく、滑走中のゴーグルと帽子つば部間の拡大を解消し、快適性を高める。
【課題を解決するための手段】
【０００６】ゴーグル使用時にそのゴーグル４と帽子つば２の間に出来る隙間を埋め、ゴーグル４により押さえつけられ風を受けても帽子１がずりあがることを抑えその隙間が広がっていかないようにひれ３をつば下部に有することが特徴の帽子。【０００７】そのひれ３はゴーグル未使用時にファッション性を損ねる事がないよう帽子内部への折りたたみ収納が可能であることが特徴の帽子。
【考案の効果】
【０００８】スキー、スノーボードなどの際にゴーグルを使用しても額の露出を防ぎ、額への冷気、風、雪の進入を防止しより快適性、保温性を高められる。【０００９】スキー、スノーボードなどの際にゴーグルを使用することによりゴーグルがひれを押さえ込み滑走中の風による帽子のずり上がりを防ぎより快適性、保温性を高められる。【００１０】内部収納可能にする事でゴーグル非着用時のファッション性も損なわない。
【考案を実施するための最良の形態】
【００１１】額に直接触れても不快ではなく、内部への折りたたみが可能な柔らかい繊維素材のひれを、帽子つばの付け根内側に、幅１８センチメートル程度、長さ３センチメートル程度で有する帽子。
【図面の簡単な説明】
【図１】ゴーグル着用時の断面図である。
【図２】ゴーグル非着用時の断面図である。
【図１】
0003116625.tif 000003
【図２】
0003116625.tif 000004
(57)【要約】      （修正有）【課題】履き易く、且つ梱包や保管収納の上で経済的効果を発揮させる長靴製品の提供。【解決手段】脚筒部２の高さ方向に於ける凡そ中間位置に対し、これと直交する円周方向へ波状の縊部３を形成し、該部で折り曲げ可能に構成する。このさい、波状の縊部の巾寸法は凡そ１ｃｍ程度となされるのであり、また波状の縊部に輪ゴムを介在させたりする。【選択図】図２
0003116687.tif 000002
【実用新案登録請求の範囲】
【請求項１】
脚筒部の高さ方向に於ける凡そ中間位置に対し、これと直交する円周方向へ波状の縊部を形成し、該部で折り曲げ可能に構成したことを特徴とする長靴。
【請求項２】
波状の縊部の巾寸法は凡そ１ｃｍ程度となされることを特徴とする請求項１記載の長靴。
【請求項３】
波状の縊部に輪ゴムを介在させてあることを特徴とする請求項１又は２記載の長靴。
【考案の詳細な説明】
【技術分野】
【０００１】
本考案は、折り曲げて収納や保管を可能にする長靴に関する。
【背景技術】
【０００２】
長靴を梱包したり保管したりする場合、紙または合成樹脂製の保型具を長靴の中に入れて型くずれを防止することが行われている。
【特許文献１】特開２０００−２２９００１
【考案の開示】
【考案が解決しようとする課題】
【０００３】
而して、上記の型くずれ防止のためには長靴の大きさ以上の容量の紙材やスペースが必要であり、またその一般的な販売では通常拾数足を１つの外装箱に入れるのであり、従って可成り大きな箱となり、且つ広い保管スペースも必要となる。
【０００４】
上記の問題を解決すべく脚胴部を折りたたんだ状態で梱包すると、無理に折り曲げるために変形を生じてしまって商品価値が損なわれるものとなる。一方、従来の長靴は脱げやすかったり、長靴内で足に履いているズボンが簡単に外へ飛び出してしまったりする問題があり、他方しゃがんだりすると、脚胴部の屈曲性が悪いために足に負荷がかかったりする問題もある。
【０００５】
本考案は、このような事情に鑑み、コンパクトな梱包や収納を可能となし、且つ履き心地が良く、また足への負担も少ない長靴の提供を目的とする。
【課題を解決するための手段】
【０００６】
本考案に係る長靴は、脚筒部の高さ方向に於ける凡そ中間位置に対し、これと直交する円周方向へ波状の縊部を形成し、該部で折り曲げ可能に構成したことを特徴とする。このさい、波状の縊部の巾寸法は凡そ１ｃｍ程度となされるのであり、また波状の縊部箇所には輪ゴムを介在させたものとする。
【考案の効果】
【０００７】
本考案によれば脚筒部の高さ方向に於ける凡そ中間部箇所に設けた波状の縊部で容易に折り曲げられるのであり、従って脚筒部が二つ折りされた状態のコンパクトな梱包が可能になるため、梱包資材や収納スペースの節約化に寄与すること大ならしめるものとなる。
【０００８】
而して、上記脚筒部の中程に形成した波状の縊部は、該長靴を履いたさい、スボン裾が引っ掛かりの抵抗となるため、ズボン裾がまくれ上がったり、或いは裾端が容易に抜け出したりすることがなくなり、見苦しい状態が回避される反面、脚筒部の屈曲性が良くなることから、長靴を履いてしゃがんだりしても、足に大きな負担がかかることがなくなって、履き心地の大変良いものとなるのである。また、上記縊部はポイントマーク的な意匠的効果を呈するもので付加価値の向上にも寄与するものである。
【考案を実施するための最良の形態】
【０００９】
以下、図面に示す実施の形態について説明する。
図１は本考案に係る長靴１の全体図で、図２は同縦断面図である。これから明らかな通り脚筒部２の高さ方向に於ける凡そ半分程度の箇所で、該脚筒部２と直交する円周方向に波状の縊部３が形成されるものとなされる。ここに該波状の縊部３はその巾寸法ｔが凡そ１ｃｍ程度となされるものであり、図示例では該寸法をなした１箇の凸部３ａと、両隣りに同寸法をなした２箇の凹部３ｂとで形成されるものとなされる。
【００１０】
ところで、脚筒部２に対し、上記した波状の縊部３を形成するには、図３に示す如くその脚筒部の凡そ中ほどの円周方向へ波状の凹凸４を備えたラスト５を使用し、またこれに被覆させる裏布６は伸び率が２５０％以上の編生地を使用し、且つ図４に示す如くその中ほどに絞り部ｍが形成されるように縫製したものとなすのであり、これを図５に示す如く上記ラストに被覆させると共に、該ラスト５の凹凸４の箇所に対し輪ゴム７を掛けて裏布６が密着させるようになすのである。
【００１１】
而して、図示はしないが上記裏布６を被覆させたラスト５の外周面に対し未加硫ゴムシートを一定の肉厚状態に貼着させ、上記波状の凹凸４の箇所を含めて充分にロール掛けを行うと共に、靴底９や適所に補強ゴム８などを取付けたのち、加硫処理を施してラスト５から取り出すのである。
【００１２】
本考案は以上の通り構成するものであって、包装収納せんとするさいは脚筒部２の縊部３の箇所で極めて容易に折り曲げることができる。このさい、足甲部にはプラスチックの保型具を入れて図６に示す如き状態で行うことができる。即ち本考案では長靴でありながら普通のシューズ同様にコンパクトな梱包が可能となるのであり（図６の一点鎖線参照）、船や陸の輸送費用や倉庫管理などの費用低減に寄与すること大ならしめるものである。
【００１３】
なお、上記縊部３の構成は足を靴内へ入れたさい、これが靴内部である種の抵抗になって入れた足が靴内でプカプカしたりする違和感がなくなり、また足裾のズボン布地などが簡単に外へ抜け出したりすることを防止するのであり、また腰を曲げたりするさいの負荷を解消させて全体的な作業性の向上にも寄与する。
【図面の簡単な説明】
【００１４】
【図１】本考案に係る長靴の全体図である。
【図２】上記の縦断面図である。
【図３】製作に使用するラストの説明図である。
【図４】本考案で使用する裏布の説明図である。
【図５】上記ラストに裏布を取付けた状態の説明図である。
【図６】包装するさいの状態説明図である。
【符号の説明】
【００１５】
１    長靴
２    脚筒部
３    波状の縊部
４    凹凸
５    ラスト
６    裏布
７    輪ゴム
【図１】
0003116687.tif 000003
【図２】
0003116687.tif 000004
【図３】
0003116687.tif 000005
【図４】
0003116687.tif 000006
【図５】
0003116687.tif 000007
【図６】
0003116687.tif 000008
(57)【要約】      （修正有）【課題】机上スペースをとらず最後まで簡単に輪ゴムを取り出すことを実現可能とした輪ゴム箱の提供。【解決手段】箱の形を六角形の立方体でハニカム構造にし、底面を狭くし片側に丸型の窓を設け、それにより、机上スペースをとらず最後まで簡単に輪ゴムを取り出せ、輪ゴムの量も目で確認することができ、子供からお年寄り、手の不自由な方でも輪ゴムの取り出しが便利になる。【選択図】図１
0003116639.tif 000002
【実用新案登録請求の範囲】
【請求項１】
六角形の立方体のハニカム構造で、底面の幅が狭く、透明丸型窓を設けたことを特徴とした輪ゴム箱。
【考案の詳細な説明】
【技術分野】
【０００１】  本発明は、輪ゴムの取り出しを便利にしたことに関する。
【背景技術】
【０００２】  従来の輪ゴム箱は底面が幅広く机上スペースをとり、また取り口が隅にあるため指が奥まで届かず、それと輪ゴムの粘着性特質により輪ゴム同士がくっつき合い束になってしまい残りの輪ゴムを取るのが不便だった。
【考案の開示】
【考案が解決しようとする課題】
【０００３】  本考案は、このような従来の輪ゴム箱の問題を解決したものであり、机上スペースをとらず最後まで簡単に輪ゴムを取り出すことを実現可能としたものである。
【課題を解決するための手段】
【０００４】  箱の形を六角形の立方体で強度の強いハニカム構造にし、輪ゴムの減り具合により底面を移動できるようにした。【０００５】  また、片側中央に透明の丸型窓を設けた。
【考案の効果】
【０００６】  輪ゴム箱の机上スペースが狭くなり、置き場所をとらず邪魔にならない。【０００７】  輪ゴムの減り具合により、移動させて取り口が下に行くので、最初から最後まで簡単に輪ゴムを取り出すことができる。【０００８】  透明の丸型窓から中が見え、輪ゴムの減り具合が確認できる。【０００９】  ハニカム構造で強度と安定があり、たくさんの輪ゴム収納に適している。【００１０】  子供からお年寄り、手の不自由な方でも残り少ない輪ゴムを簡単に取り出すことができる。【００１１】  そして、本考案輪ゴム箱はスリム化し、見た目もスッキリで現代感覚のデザインになっているので、これからの文具用品の一部にピッタリくる。
【考案を実施するための最良の形態】
【００１２】    一番最初の輪ゴムがたくさん入っている状態は、取り口が一番上になり、次に輪ゴムが減っていき取り出し難くなったら、左右どちらかに１段階下に取り口を移動させ、さらに輪ゴムが減り取り出し難くなったら同じ方向にまた１段階移動させ、残りの輪ゴムを簡単に取り出すことができる。そして片側の透明丸型窓にて中の輪ゴムが見えるので、輪ゴムがどのくらい減ったか確認で取り口移動の目安にもなる。
【実施例】
【００１３】    以下、添付図面に従って一実施例を説明する。図１は本考案輪ゴム箱本体、１は最初の輪ゴム取り口で、２は取り口１に対する底面の部分、３，４，５，６は取り口１に対する側面の部分になり、７は片側に設けた透明の丸型窓で輪ゴムがたくさん入っているのが見える。そして７により輪ゴムの減りが確認でき輪ゴムが１から取り出し難くなった時、１を左右のどちらか例えば６の方向に１段階移動させれば減ってきた輪ゴムも移動した取り口に偏り輪ゴムがまた取り出しやすくなる。【００１４】    ７より輪ゴムの減りが確認でき、１段階下に移動した取り口から輪ゴムが取り出し難くなったら、さらにもう１段階下に移動させ、それにより取り口が図２の１ａの状態となり、輪ゴムも下に集まり残り少ないものまで簡単に取り出すことができる。
【図面の簡単な説明】
【００１５】
【図１】  本考案輪ゴム箱の一実施例を示す正面図である。
【図２】  底面移動により、一番上にあった輪ゴム取り口が下に移動した時の外観図
【符号の説明】
【００１６】    １  最初の輪ゴム取り口
２  最初の輪ゴム箱底面
７  中の輪ゴムが見える透明の丸型窓
１ａ  ２段階底面移動により下に移動した輪ゴム取り口
６ａ  ２段階底面移動により新しく底面となった面
【図１】
0003116639.tif 000003
【図２】
0003116639.tif 000004
(57)【要約】【課題】災害時において、階段や通路の側壁に沿って発光ダイオードが発光し、その発光ダイオードの発光する方向が避難経路という道しるべとなる避難誘導器具を提供する。【解決手段】発光ダイオードの発光方向を出口と反対の方向にすることにより、出口に向かう際には、発光ダイオードの指向性の範囲内では、見る人には進行方向が明るく表示され、また、逆に出口から離れる場合は、発光ダイオードの指向性の範囲外となり見る人には明るく表示されないため、逆方向に進むことを阻止する。【選択図】図３
0003116631.tif 000002
【実用新案登録請求の範囲】
【請求項１】
階段や通路の側壁に沿って、ケーブルに取り付けられた複数個の発光ダイオードと、その発光ダイオードを発光させるための電力を蓄積する蓄電池と、その蓄電池の電力により発光ダイオードを発光させる制御回路とを備え、災害が発生した際、発光ダイオードの発光方向を出口と反対方向に発光させることにより、暗闇でも避難する人が安全に避難できるよう設置された避難誘導装置。
【請求項２】
請求項１に記載するケーブルはフラットケーブル又はフレキシブル基盤である。
【請求項３】
請求項１に記載する発光ダイオードはチップ型発光ダイオードである。
【請求項４】
請求項３に記載するチップ型発光ダイオードは、人が触れても怪我をしないよう人の触れる側のダイオードの端面の形状が丸くなっている。
【請求項５】
請求項１に記載する蓄電池は電気二重層コンデンサである。
【請求項６】
請求項１に記載する複数個の発光ダイオードを点滅発光させる場合、同時点滅にする。
【請求項７】
請求項２に記載するケーブルの表面には、側壁と同色または同系色の壁紙や保護シールが取り付けられている。
【考案の詳細な説明】
【技術分野】
【０００１】本考案は、災害時における階段や通路の側壁に沿って発光する避難誘導器具に関する。
【背景技術】
【０００２】従来、マンションや病院等、複数の人が出入りする場所で災害が発生し、停電した場合に避難口や避難方向を示す避難誘導装置として、蛍光灯で内照式の避難口誘導灯や通路誘導灯等がある。【０００３】しかしながら、このような避難口誘導灯や通路誘導灯は複数個設置されているにも拘らず、設置されている場所が、避難口の付近や避難口に向かう避難表示として何ヶ所かの場所に設置している場合が多く、普段でも災害時に備え避難口の場所を確認する人はあまりいない。
【考案の開示】
【考案が解決しようとする課題】
【０００４】その為、災害が発生した場合、避難しようとする人は建物の階段や廊下で避難口誘導灯や通路誘導灯を探したり一つずつ確認したりしなければならないという煩わしさがある。【０００５】また、そのような場所を初めて通る人や小さな子供が避難しようとする場合、又は災害により煙が発生した場合、より一層確認が困難である。
【課題を解決するための手段】
【０００６】本考案は、マンションや病院及び地下鉄の駅等、人が複数集まる場所において、階段や通路の側壁に沿って、ケーブルに取り付けられた複数個の発光ダイオードと、その発光ダイオードを発光させるための電力を蓄積する蓄電池と、その蓄電池の電力により発光ダイオードを発光させる制御回路とを備え、災害が発生した際、発光ダイオードの発光方向を出口と反対方向に発光させることにより、暗闇でも避難する人が安全に避難でき、また、その発光ダイオードの発光する方向が避難経路という道しるべとなり、逆方向への避難を防ぐという避難誘導器具である。
【考案の効果】
【０００７】そもそも発光ダイオードには指向性があり、その指向性の範囲内では明るく見えるが、それ以外では明るく見えないという特徴がある。【０００８】その為、発光ダイオードの発光方向を出口と反対の方向に向けることにより、出口に向かう際に、発光ダイオードの指向性の範囲内では、見る人には進行方向が明るく表示され、また、逆に出口から離れる場合は、発光ダイオードの指向性の範囲外となり見る人には明るく表示されないため、逆方向に進むことを阻止するという効果がある。【０００９】また、避難口誘導灯や通路誘導灯は、現在でも蛍光灯の内照式が多いため、定期的なメンテナンスが必要となる。【００１０】しかしながら、本考案は発光ダイオードを使うことにより、メンテナンスが必要なく、尚且つ蓄電池に電気二重層コンデンサを使用することにより、バッテリーの交換の必要もなくメンテナンスフリーとなる。
【考案を実施するための最良の形態】
【００１１】以下、本考案の実施形態について、図面に基づいて説明する。【００１２】図１は一般的な避難口誘導灯であり、図２も一般的な通路誘導灯である。
【実施例】
【００１３】図３は、階段３を降りる方向が避難経路であり、その階段の側壁３にはケーブル１と発光ダイオード２が取り付けられており、避難経路と逆向きの発光方向ａの方向に発光ダイオードが発光している。【００１４】避難時は、その発光に沿うように進むことにより、反対方向に避難することを防ぐ効果がある。【００１５】また、取り付けるケーブル１はフラットケーブ又はフレキシブル基盤のような平らなものが好ましい。【００１６】図４では側壁３に取り付けられたケーブル１の表面に側壁と同色または同系色の壁紙または保護シール４を取り付けることにより、ケーブルが見えなくなり違和感がなくなる効果がある。【００１７】図３に記載する発光ダイオード２はチップ型発光ダイオードのように凸部分の小さいものが好ましい。【００１８】なお、チップ型発光ダイオードを使用する場合、人が触れる側の端面の形状を丸くすることにより、人が触れても怪我を防ぐ形状が好ましい。【００１９】さらに、発光ダイオード２を点滅発光させる場合、発光ダイオードは発光面積が小さいため、単体では点にしか見えない。
そのため、同時点滅させることにより、避難経路がよりわかりやすくなる。
【図面の簡単な説明】
【００２０】
【図１】一般的な避難口誘導灯のマークである。
【図２】一般的な通路誘導灯のマークである。
【図３】本考案による階段の概略斜視図である。
【図４】側壁に設置した概略断面図である。
【符号の説明】
【００２１】１  …ケーブル
２  …発光ダイオード
３  …側壁
４  …壁紙または保護シール
ａ  …発光方向
【図１】
0003116631.tif 000003
【図２】
0003116631.tif 000004
【図３】
0003116631.tif 000005
【図４】
0003116631.tif 000006
(57)【要約】      （修正有）【課題】掲示するのに大きなスペースを必要した年表が、省スペースとなり、また年表そのものの用紙を大きくすることができるようになり、「予定の記入」等のスペースを取ることが出来る。【解決手段】年表に６カ月〜３カ月毎等に縦に折り目１を入れ、２〜４つに折ることによって寸法が元の年表の半分から４分の１になり、折った状態で吊し穴２を設けることにより、表示する月を６カ月〜３カ月毎に容易に換えられ掲示も容易である。また、掲示スペースが十分な所には折らないで掲示する事もできるので、従来品の一覧性を損なうこともない。【選択図】図１
0003116636.tif 000002
【実用新案登録請求の範囲】
【請求項１】
１枚の用紙の片面に１２カ月の月表等を表示したものを、縦に折り目を入れ、２〜４つ折りにし、折った面に吊り下げ用の穴を有するカレンダー。
【考案の詳細な説明】
【技術分野】
【０００１】  本考案は、１２カ月等を１枚で表示するカレンダー（以下年表と言う）に関する。
【背景技術】
【０００２】  従来の年表は１２カ月を表示して掲示するのが普通である。
【考案の開示】
【考案が解決しようとする課題】
【０００３】  そのため１〜２カ月区切りで表示するカレンダーに比べ用紙寸法が大きくなり、掲示する場所が限られる。逆に用紙寸法を小さくすれば表示文字が小さくなり見難くなり、ましてやカレンダーに予定を記入する等のスペースを取るのは難しい。
【課題を解決するための手段】
【０００４】  そこで、年表に６カ月〜３カ月毎等に縦に折り目をいれ、２〜４つに折ることによって寸法が元の年表の半分から４分の１になり、折った状態で吊し穴を設けることにより、表示する月を６カ月〜３カ月毎に容易に換えられ掲示も容易である。
【考案の効果】
【０００５】  よって、掲示するのに大きなスペースを必要した年表が、本考案によって省スペースなものに変わる。また年表そのものの用紙を大きくすることができるようになり、「予定の記入」等のスペースを取ることが出来る。
また、掲示するスペースが充分ある場所では、従来の年表の形としても使用でき、従来品の用途を損なうこともない。スペースによっては例えば３つ折の場合、３分の２を表示するように掲示することも可能である。
さらに、この考案による従来品からのコストアップは少ないと予想され、実用性がある。
【考案を実施するための最良の形態】
【０００６】用途を「予定を記入できる折り年表」と想定し、仕様例を次に示す。
年表（用紙）の寸法：Ａ１〜Ｂ１      用紙の厚さ：１２５〜２５０  ｇ／ｍ２
折り数：３つ折り（４カ月表示）      吊り穴：直径８ｍｍ以内  １箇所
【図面の簡単な説明】
【０００７】
【図１】  本考案に係る年表例。（３つ折り）
【図２】  本考案に係る年表例。（４つ折り）
【図３】  従来の年表
【符号の説明】
【０００８】  １                  折り目
２                  吊り穴
３                  月表
【図１】
0003116636.tif 000003
【図２】
0003116636.tif 000004
【図３】
0003116636.tif 000005
(57)【要約】      （修正有）【課題】椅子生活の習慣や老化によって、腰が曲がり、背中が丸くなって身体全体の可動域が狭くなり、運動能力も低下して来ることを防止する。【解決手段】仰向け姿勢で、両肩から股関節部位を、胴体サイズの寝台上に乗せて、頭部、両手両足の力を抜いて垂れ下げた姿勢を一定時間持続することで、日常の、椅子生活から来る猫背や、屁っぴり腰化の改善に努めることを基本にして、更に電動アシスト式の他、手動で手摺りや、取っ手を押し引きする等の手段によって、寝台自体を揺り動かす事で、首周り、両肩、股関節部位等の可動域を徐々に拡大しつつ、その効果を順次全身に波及させ姿勢改善、運動能力向上を図る。【選択図】図２
0003116632.tif 000002
【実用新案登録請求の範囲】
【請求項１】
幅及び高さ調節可能な寝台と前記寝台を電動アシスト式及び手動によって揺り動かす手段とを備えた事を特徴とする亀寝整体具
【考案の詳細な説明】
【技術分野】
【０００１】  本考案は、自分自身、自宅で手軽に、体重を加えながら筋肉や関節等を、ほぐす為の用具を提供するものである。
【背景技術】
【０００２】  従来、生活習慣や、老化によって腰が曲がり、背中が丸くなって身体全体の可動域が狭くなり、運動能力も低下してくる。これを改善出来る整体術は保健が効かない。自分自身で、自宅で出来る簡便な方法が無かった。
【考案の開示】
【課題を解決するための手段】
【０００３】仰向け姿勢で、両肩から股関節部位を、胴体サイズの寝台上に乗せて、頭部、両手両足の力を抜いて垂れ下げた姿勢を一定時間持続することで、日常の、椅子生活から来る猫背や、屁っぴり腰化の改善に努めることを基本にして、更に電動アシスト式や、手動で手摺りや、取っ手を押し引きする等の手段によって、寝台自体を揺り動かすことで、首周り、両肩、股関節部位等の可動域を徐々に拡大しつつ、その効果を順次全身に波及させてゆきます。
【考案の効果】
【０００４】  本用具は、胴体サイズの寝台を用いる事で、はみ出た頭部及び四肢の自重を利用して、楽な姿勢のまま、姿勢改善が出来る他、更に寝台に揺れを加える事で、主要な関節部位や筋肉のほぐしが同時に成される為、全身のほぐしが加速されて可動域の拡大、姿勢改善、運動能力の向上が図られます。
【図面の簡単な説明】
【０００５】
【図１】  ゴロ寝整体具（本用具）の構造を示すものです。
【図２】  本用具の使用法を示すものです。
【図１】
0003116632.tif 000003
【図２】
0003116632.tif 000004
【手続補正書】
【提出日】平成17年8月23日(2005.8.23)
【手続補正１】
【補正対象書類名】実用新案登録請求の範囲
【補正対象項目名】全文
【補正方法】変更
【補正の内容】
【実用新案登録請求の範囲】
【請求項１】
胴体サイズで、幅及び高さ調節が可能な寝台と、
前記寝台を電動アシスト式及び手動によって、揺り動かす手段とを備えた事を特徴とする亀寝整体具
【手続補正書】
【提出日】平成17年8月24日(2005.8.24)
【手続補正１】
【補正対象書類名】明細書
【補正対象項目名】０００５
【補正方法】変更
【補正の内容】
【０００５】
【図１】亀寝整体具（本用具）の構造を示すものです。
【図２】本用具の使用法を示すものです。
(57)【要約】      （修正有）【課題】一葉が１日単位のカードであり、且つ、必要日数分を着脱自在に一体化して持ち歩けるので、携帯性を向上させる。【解決手段】連続する暦を１日分ごとに、日付け記載部２及び、予定記入部３を１枚のカード１に設けることにより、カード自体を小さくし、且つ、カードの一側端縁に１個の綴じ込み孔４を穿設し、綴じ具５を挿通して必要期間分だけの複数枚のカードを一体化して保持可能とすることにより、携帯性の向上に役立つ。【選択図】図１
0003116640.tif 000002
【実用新案登録請求の範囲】
【請求項１】
一葉に１日分の日付け及び予定記入部を有する複数枚のカードが、カードの一側端縁に穿設された１個の綴じ込み孔に挿通された綴じ具によって一体化して保持された手帳であって、各カードが着脱自在であることを特徴とする手帳。
【考案の詳細な説明】
【技術分野】
【０００１】  この考案は、日々の予定やメモを記入する手帳に関し、１日単位で必要日数分を携帯できるようにした手帳に関するものである。
【背景技術】
【０００２】  毎日の生活における予定や、仕事の計画を記入したり、必要事項のメモを記入するために、筆記具のひとつとしてのビジネス手帳やシステム手帳が用いられている。同ビジネス手帳は通常、１年間の使用を前提としており、そのため所用の厚みを有するものとなっている。また同システム手帳は通常、複数個の綴じ穴が穿設された用紙を保持するための綴じ具の接合されたカバーを有するため、所用の厚みと大きさを有するものとなっている。
【考案の開示】
【考案が解決しようとする課題】
【０００３】  上記手帳は所用の大きさと厚みを有しているため、充分な大きさの収納部を持つ衣服を着用しているか、あるいは鞄を持ち歩いている場合は収納や持ち運びに不便はないが、そうでない場合、ズボンやＹシャツのポケットに収容するには大きすぎ、携帯性に優れているとはいえなかった。しかも日常的な使用においては，必要な予定や情報を数ヶ月に渡って記入したり参照したりする必要性は少なく、日常の使用には必要でない多くの月日の頁を持ち歩くことにより、携帯性を損なうこととなっていた。従って、月日の予定やメモを記入する用紙を１日単位で必要日数分のみを着脱自在に一体化して持ち運び容易とした手帳を提供することにより、前述の欠点を解決しようとするものである。
【課題を解決するための手段】
【０００４】  本考案は、連続する暦を１日分ごとに、日付け及び、予定やメモを記入する欄を１枚のカードに設け、且つ、カードの一側端縁に１個の綴じ込み孔を穿設し、綴じ具を挿通して複数枚のカードを一体化して保持可能とすることにより、問題点を解決している。
【考案の効果】
【０００５】  上記のように、本考案のカード型手帳は、日々の生活や仕事の状況に応じて必要な期間分のみを１日単位で持ち歩くことを可能とし、且つ、１葉が１日分の単位の手帳であるので、カード自体を小さく、且つ、軽くすることができるので、単一の綴じ込み孔に挿通してカードを保持する綴じ具を使用しても十分にカードを吊着でき、携帯性を向上させたものとなっている。
【考案を実施するための最良の形態】
【０００６】  カードは表面に連続する暦の１日分の日付けが記載され、予定やメモの記入欄を有する。又、カードの一側端縁には１個の綴じ込み孔が穿設され、着脱可能な綴じ具により吊着される。
【実施例】
【０００７】  以下、添付図面に従って実施例を説明する。図１は第１実施例のカード型手帳の斜視図である。１はカード本体であり、１個の綴じ込み孔４が穿設されており、日付け記載部２と予定記入部３によって構成されている。各カードはリング状綴じ具５ａによって着脱自在に一体化されており、必要期間分だけを１日単位で携帯することを可能としている。【０００８】  本実施例において日付け記載部２はカード右端に設けられているが、同位置に限定するものではなく、綴じ込み孔４に掛からなければカード上のどの位置に設けられてもよい。また、予定記入部３は罫線が記載されているが、罫線の巾や本数を限定するものではなく、予定を記入する余白部さえあれば、罫線を設けなくてもよい。また、本実施例では着脱可能なリング状綴じ具５ａによって複数枚のカードが綴じられているが、同綴じ具に限定するものではなく、単一の綴じ込み孔に挿通して着脱自在にカードを保持できる綴じ具であれば良よく、例えば図２に示す鋲状綴じ具５ｂを用いても有効である。【０００９】  図２は第２実施例のカード型手帳の斜視図である。１はカード本体であり、１個の綴じ込み孔４が穿設されており、日付け記載部２と予定記入部３によって構成されている。各カードは鋲状綴じ具５ｂによって着脱自在に一体化されており、必要期間分だけを１日単位で携帯することを可能としていることは第１実施例と同じである。
【図面の簡単な説明】
【００１０】
【図１】本考案のカード型手帳の第１実施例を示す斜視図である。
【図２】本考案のカード型手帳の第２実施例を示す斜視図である。
【符号の説明】
【００１１】１    カード
２    日付け記載部
３    予定記入部
４    綴じ込み孔
５ａ  リング状綴じ具
５ｂ  鋲状綴じ具
【図１】
0003116640.tif 000003
【図２】
0003116640.tif 000004